(57)【要約】【課題】同じ位置から見たとき隣り合う溝部の陰影が同じではなく、変化しながら連続させることにより、全体が単調になってしまうという印象を防ぐことができ、自然の竹垣に近いリアル感を得ることができる擬似竹パネル。【解決手段】竹を割った形状の複数の割竹部１を隣り合うように並べた一体形状の擬似竹パネルＡであって、隣り合う割竹部１の間に溝部２を形成し、該溝部２の相対する溝壁３、４の傾斜角を互いに異なるようにしたことを特徴とする擬似竹パネル。【選択図】        図２
2004300739.tif 000002
【特許請求の範囲】
【請求項１】
竹を割った形状の複数の割竹部を隣り合うように並べた一体形状の擬似竹パネルであって、隣り合う割竹部の間に溝部を形成し、該溝部の相対する溝壁のパネル表裏方向に対する傾斜角を互いに異なるようにしたことを特徴とする擬似竹パネル。
【請求項２】
前記溝部の相対する溝壁のうち一方の溝壁を擬似竹パネルのパネル表裏方向に平行となるように形成した、請求項１に記載の擬似竹パネル。
【請求項３】
前記溝部において、相対する溝壁の角度が同じ溝壁は、隣り合わないように配置した、請求項１または２に記載の擬似竹パネル。
【請求項４】
前記隣り合う割竹部の幅を異なるようにした、請求項１、２または３に記載の擬似竹パネル。
【発明の詳細な説明】
【０００１】
【発明の属する技術分野】
本発明は、主に和風の庭園や敷地と外部とを仕切るための擬似竹垣等の用途に供される擬似竹パネルに関する。
【０００２】
【従来技術とその問題点】
一般に、この種の擬似竹パネルとして、竹を半分に割った形状の複数の割竹部を隣り合うように並べた形状のものを合成樹脂によって一体に成形したものが知られている。
【０００３】
従来の擬似竹パネルは、パネル全体のボリューム感を出すために、隣り合う割竹部の間に溝部を形成している。このような溝部は、断面が凹状またはＵ字状に形成したもの（例えば、特許文献１参照）と、溝部の相対する溝壁を傾斜させ、擬似竹パネルの面方向に垂直の線と溝部の開口部における接線とのなす角度が、上記溝壁と上記垂直線とのなす角度よりも大きくなるようにしたもの（例えば、特許文献２参照）が知られている。
【０００４】
前者はボリューム感を出すことはできるものの、当該擬似竹パネルを遠目で見たときに、隣り合う割竹部間の陰影ラインがあまり目立たないので、実際の竹垣に比べて凹凸感に劣るという問題があった。後者はこの点を解決しようとしたものである。
【０００５】
【特許文献１】
特開２００１−９０３９６号公報
【特許文献２】
実公平７−４６６８９号公報
【０００６】
【発明が解決しようとする課題】
しかしながら、自然の竹によって竹垣を構成する場合、同じ竹は１本もないので、例えば隣り合う割竹の間の陰影も位置によっていろいろと異なるものであるが、特許文献１、２のものは、いずれも溝部の相対する溝壁の傾きが同じであるから、多少の深みやボリューム感はあっても、どの位置から見ても同じ陰影で割り竹が連続することになる。このため、全体が単調になってしまうという印象は否めず、自然な竹垣の感じを得ることができなかった。
【０００７】
本発明は上記問題点を解消し、同じ位置から見たとき隣り合う溝部の陰影が同じではなく、変化しながら連続させることにより、全体が単調になってしまうという印象を防ぐことができ、自然の竹垣に近いリアル感を得ることができる擬似竹パネルを提供することをその課題とする。
【０００８】
【課題を解決するための手段】
前記課題を解決するため、本発明に係る擬似竹パネルは、竹を割った形状の複数の割竹部を隣り合うように並べた一体形状の擬似竹パネルであって、隣り合う割竹部の間に溝部を形成し、該溝部の相対する溝壁のパネル表裏方向に対する傾斜角を互いに異なるようにしたことを特徴とする。
【０００９】
なお、前記溝部の相対する溝壁のうち一方の溝壁を擬似竹パネルのパネル表裏方向と平行になるように形成してもよい。
【００１０】
また、前記溝部において、相対する溝壁の角度が同じ溝壁は、隣り合わないように配置するのが好ましい。
【００１１】
さらに、前記隣り合う割竹部の幅を異なるようにしてもよい。
【００１２】
【発明の実施の形態】
図１は本発明に係る１単位の擬似竹パネルの斜視図を、図２はその一部の拡大横断面図で、この擬似竹パネルＡは、竹を割って一定の長さにした形状の複数の割竹部１を溝部２を介して幅方向に連結するように合成樹脂で一体形成することによって、表面に竹垣模様が表現されるようにしたパネルであり、各割竹部１はその中央が表面側に膨らむように彎曲し、長さ方向に間隔をおいて節目が形成されている。なお、隣り合う割竹部１の幅は異なるようにしてもよい。
【００１３】
各割竹部１の高さは、擬似竹パネルＡを成形する金型との関係が重要である。割竹部１が高く、断面の円弧の角度が大きければ、割竹部１の深みが増し、自然竹に近い印象を得ることができる。しかし、その反面、成形時には金型からの脱型が悪くなり、歩留まりが低くなるからである。
【００１４】
次に、上記擬似竹パネルＡにおいて、隣り合う割竹部１の間には溝部２が形成されている。この溝部２は相対する溝壁３、４と溝底壁５とから構成され、擬似竹パネルＡの背面側に凹んだ形状をなしている。
【００１５】
そして、相対する溝壁３、４のパネル表裏方向Ｐに対する傾斜角は互いに異なるように形成されている。すなわち、上記相対する溝壁３、４のうち一方の溝壁３は擬似竹パネルＡのパネル表裏方向Ｐに対してなす角度αが鋭角をなすように形成されているが、他方の溝壁４は、パネル表裏方向Ｐに対する角度が０°、つまりパネル表裏方向Ｐと平行（パネルの面方向に対して直角）となるように形成されている。
【００１６】
なお、溝底壁５は上記面方向に平行となるように形成されている。また、溝部２の相対する溝壁３、４の傾斜角は互いに異なるように形成されていればよい。さらに、一方の角度は必ずしもパネル表裏方向に対して０°である必要はない。
【００１７】
また、溝部２は割竹部１をはさんでほぼ平行に並んでいるが、相対する溝壁３、４の角度が同じ溝壁は、隣り合わないように配置されている。つまり、図３において左右の溝壁４、３の隣りは溝壁３、４、その隣りは溝壁４、３、さらにその隣りは溝壁３、４というように、溝部２の角度の態様が交互に異なるように配列されている。もちろん、交互でなく、ランダムに配列してもよい。
【００１８】
そして、上記擬似竹パネルＡは、図４に示されるように、同じ構成の他の複数の擬似竹パネルＡと上下方向及び幅方向に連続させることにより、簡単且つ容易に擬似竹垣を組み立てることができる。この場合、図４に示されるように、各溝部２の溝底壁５は擬似竹パネルＡの面方向に平行に形成されているため、下地材（断面方形の骨材等）６に面接触することができ、擬似竹パネルＡを安定した状態で下地材６に固定することができるから、施工性がよく、強固に固定される。
【００１９】
上記擬似竹パネル構成によれば、隣り合う割竹部間に溝部２が形成されているので、各割竹部１の間に深みが感得される。したがって、擬似竹パネルＡにボリューム感が増大する。
【００２０】
また、隣り合う割竹部１の間に形成された溝部２の相対する溝壁３、４のパネル表裏方向Ｐに対する傾斜角は互いに異なるように形成されているので、同じ位置から見たとき隣り合う溝部２の陰影は同じではなく、変化しながら連続することになるから、全体が単調になってしまうという印象を防ぐことができ、自然の竹垣に近いリアル感を得ることができる。
【００２１】
なお、相対する溝壁３、４の角度が同じである溝壁は、隣り合わないように配置すれば、溝部２の陰影が一層変化に富むものとなる。
【００２２】
さらに、擬似竹パネルＡの溝壁４を擬似竹パネルＡのパネル表裏方向と平行（パネルの面方向に対して直角）となるように形成することにより、溝部２が面材に対する補強リブと同様に機能し、擬似竹パネルＡを補強して剛性を向上させることができる。例えば、風圧に対して擬似竹パネルＡが煽られて変形することが良好に防止される。
【００２３】
さらにまた、溝底壁５が面方向と平行に形成されていることにより、擬似竹パネルＡを成形するときに、金型からの脱型が容易となるほか、金型に尖る部分を形成する必要がないので、金型の摩耗が少なく、耐久性も向上する。
【００２４】
なお、溝底壁５は擬似竹パネルＡの面と平行な平面で形成されていることに限定されない。例えば、Ｕ字形に彎曲する構成でもよく、あるいは図５に示されるように、Ｖ字形に形成してもよい。
【００２５】
【発明の効果】
請求項１に係る発明によれば、隣り合う割竹部の間に溝部を形成し、該溝部の相対する溝壁のパネル表裏方向に対する傾斜角を互いに異なるようにしたので、同じ位置から見たとき隣り合う溝部の陰影は同じではなく、変化しながら連続することになるから、全体が単調になってしまうという印象を防ぐことができ、自然の竹垣に近いリアル感を得ることができる。
【００２６】
請求項２に係る発明によれば、溝部２の相対する溝壁のうち一方の溝壁を擬似竹パネルのパネル表裏方向と平行（パネルの面方向に対して直角）となるように形成したので、溝部が面材に対する補強リブと同様に機能し、擬似竹パネルを補強して剛性を向上させることができる。
【００２７】
請求項３に係る発明によれば、相対する溝壁の角度が同じ溝壁は、隣り合わないように配置したので、溝部の陰影が一層変化に富むものとなる。
【００２８】
請求項４に係る発明によれば、隣り合う割竹部の幅を異なるようにしたので、溝部２間の幅が複雑になって単調さがさらになくなり、溝部の陰影がより一層変化に富むものとなる。
【図面の簡単な説明】
【図１】本発明に係る擬似竹パネルの斜視図
【図２】上記擬似竹パネルの一部の拡大横断面図
【図３】上記竹垣の一部の拡大断面図
【図４】上記擬似竹パネルで施工した竹垣の例の正面図
【図５】擬似竹パネルの他の例の断面図
【符号の説明】
１  割竹部
２  溝部
３、４  溝壁
【図１】
2004300739.tif 000003
【図２】
2004300739.tif 000004
【図３】
2004300739.tif 000005
【図４】
2004300739.tif 000006
【図５】
2004300739.tif 000007